(57)【要約】【課題】血圧測定装置が、脈拍、脈波、心電、血圧などの生体情報を測定した結果を処理する手段を備えていないと、効率的に処理することが困難であった。継続的に血圧を測定する血圧測定装置においては、センサ部分を人体に装着することを容易にする必要があり、特に、センサ部分を耳介に装着するために、センサの小型軽量化を図ることが課題となっている。【解決手段】上記課題を解決するために、本発明の血圧測定装置では、血圧を測定するセンサ部分とセンサを制御する駆動系や血圧測定のための演算処理系を含む本体部分とを分離し、センサ部分と本体部分とは電気ケーブル及び中空チューブで接続している。【選択図】図１
2006102181.tif 000002
【特許請求の範囲】
【請求項１】
被検体の脈波を測定する脈波センサと、
前記被検体の一部を押圧するカフと、
前記脈波センサ及び前記カフを被検体に保持する保持機構と、を備える血圧測定部と、
前記カフに空気を供給する加圧ポンプと、
前記カフからの空気の排気量を制限する減圧弁と、
前記カフ内部の圧力を計測する圧力センサと、
前記加圧ポンプの空気の供給と前記減圧弁の空気の排気量を制御し、前記圧力センサの計測する圧力における前記脈波センサで測定した脈波の大小から被検体の血圧を演算する電子回路と、
前記電子回路で演算した結果を表示する表示回路と、
前記脈波センサ、前記加圧ポンプ、前記減圧弁、前記電子回路及び前記表示回路に電力を供給する電池と、を備える血圧演算処理部とからなる血圧測定装置であって、
前記血圧測定部の前記カフと前記血圧演算処理部の前記加圧ポンプ、前記減圧弁及び前記圧力センサとは中空チューブで接続され、前記血圧測定部の前記脈波センサと前記血圧演算処理部の前記電子回路とは電気ケーブルで接続され、前記血圧測定部の前記脈波センサと前記血圧演算処理部の前記電池とは電気ケーブルで接続されていることを特徴とする血圧測定装置。
【請求項２】
前記脈波センサは、被検体に光を照射する発光素子と、前記発光素子の照射した光が前記被検体で散乱又は前記被検体を透過した光を検出する受光素子とを有することを特徴とする請求項１に記載の血圧測定装置。
【請求項３】
前記脈波センサは、被検体に超音波を照射する超音波発生素子と、前記超音波発生素子の照射した超音波が前記被検体で散乱又は前記被検体を透過した超音波を検出する超音波受信素子とを有することを特徴とする請求項１に記載の血圧測定装置。
【請求項４】
前記脈波センサは、被検体からの振動を検知する振動センサを有することを特徴とする請求項１に記載の血圧測定装置。
【請求項５】
前記脈波センサは、被検体からの音波を検知するマイクロフォンを有することを特徴とする請求項１に記載の血圧測定装置。
【請求項６】
前記保持機構は前記脈波センサ及び前記カフを被検体としての生体の耳介に保持し、前記脈波センサは被検体としての耳介の脈波を測定し、前記カフは前記被検体の一部として耳介の一部を押圧することを特徴とする請求項１から５に記載のいずれかの血圧測定装置。
【請求項７】
前記血圧演算処理部は、音を発生するスピーカをさらに備え、前記スピーカから前記血圧測定部に接続された中空チューブを介して前記スピーカからの音を前記耳介に伝搬させることを特徴とする請求項６に記載の血圧測定装置。
【請求項８】
前記血圧演算処理部の前記電子回路は、演算した血圧情報の信号を前記スピーカに送出することを特徴とする請求項７に記載の血圧測定装置。
【請求項９】
前記血圧演算処理部は、音楽信号を再生する音楽記録再生機をさらに備え、前記音楽記録再生機は再生した音楽の信号を前記スピーカに送出することを特徴とする請求項７に記載の血圧測定装置。
【請求項１０】
前記血圧演算処理部の前記スピーカは、音量が制御できることを特徴とする請求項７に記載の血圧測定装置。
【請求項１１】
前記血圧演算処理部は、時刻を計測するタイマをさらに備え、前記スピーカは前記タイマの計測した時刻に依存して音量が制御されることを特徴とする請求項１０に記載の血圧測定装置。
【請求項１２】
前記中空チューブ及び電気ケーブルの少なくとも一端は、脱着可能なコネクタで接続されていることを特徴とする請求項１から１１に記載のいずれかの血圧測定装置。
【請求項１３】
前記中空チューブ及び電気ケーブルをまとめて衣服に留めるクリップをさらに備えることを特徴とする請求項１から１２に記載のいずれかの血圧測定装置。
【請求項１４】
前記中空チューブ及び電気ケーブルをまとめて衣服に留める粘着部をさらに備えることを特徴とする請求項１から１２に記載のいずれかの血圧測定装置。
【請求項１５】
前記電気ケーブルの外皮及び前記中空チューブが振動吸収材で形成されていることを特徴とする請求項１から１４に記載のいずれかの血圧測定装置。
【請求項１６】
前記電気ケーブルの接続部及び前記中空チューブの接続部が振動吸収材で形成されていることを特徴とする請求項１から１５に記載のいずれかの血圧測定装置。
【発明の詳細な説明】
【技術分野】
【０００１】
本願発明は、被検体の一部、特に、耳介で血圧を測定する血圧測定装置に関する。
【背景技術】
【０００２】
高齢化の進展に従って、成人の高血圧などの生活習慣病への対応が社会的に大きな課題となっている。特に高血圧に関連する疾患の場合、長期間の血圧データの継続的な収集が非常に重要であると認識されている。
【０００３】
このような観点から、血圧などの生体情報を継続的に測定する測定装置が開発されている。従来から一般に使用されている血圧測定装置としては、上腕部にカフを巻きつけて測定する血圧測定装置があるが、この場合、装置が大形であり、継続的な測定には適していない（例えば、特許文献１参照。）。
【０００４】
また、外耳道に装着する装置としては、無線通信手段を有し、動脈血酸素飽和濃度センサ、体温センサ、心電センサ、脈波センサを備えている緊急情報装置がある（例えば、特許文献２参照。）。
【０００５】
一方、血圧の測定に関しては、血管の脈動波形による血圧測定装置は、他の方式であるカフ振動法や容積補償法などによる血圧測定装置（例えば、非特許文献１参照。）と並んで、有力な血圧の測定方法として認められている。なお、本明細書において、外耳の名称は非特許文献２、３による。
【特許文献１】特開平９−１２２０８３号公報
【特許文献２】特開平１１−１２８１７４号公報
【非特許文献１】山越  憲一、戸川  達男著、「生体センサと計測装置」、日本エム・イー学会編／ＭＥ教科書シリーズ  Ａ−１、３９頁〜５２頁
【非特許文献２】Ｓｏｂｏｔｔａ  図説人体解剖学第１巻（監訳者：岡本道雄）、ｐ．１２６、（株）医学書院、１９９６年１０月１日発行
【非特許文献３】からだの地図帳（Ｔｈｅ  Ａｔｌａｓ  ｏｆ  Ｈｕｍａｎ  Ｂｏｄｙ）、ｐ．２０、（株）講談社、２００４年１月２９日第３５刷発行
【発明の開示】
【発明が解決しようとする課題】
【０００６】
上記の従来例、特開平９−１２２０８３においては生体へ照射した赤外光、あるいは可視光が生体により散乱された散乱光を受光して脈拍、脈波、心電、血圧などの生体情報の測定が述べられているが、測定した生体情報を効率的に処理する手段を備えていなかった。さらに、上記の従来例においては、各種センサ、無線送信部、電池などを外耳道内に装着する形態としているが、大きさの点から実現性は不明である。例えば、継続的に血圧を測定する血圧測定装置においては、センサ部分を人体に装着することを容易にする必要があり、特に、センサ部分を耳介に装着するために、センサの小型軽量化を図ることが課題となっている。
【課題を解決するための手段】
【０００７】
上記課題を解決するために、本発明の血圧測定装置では、血圧を測定するセンサ部分とセンサを制御する駆動系や血圧測定のための演算処理系を含む本体部分とを分離し、センサ部分と本体部分とは電気ケーブル及び中空チューブで接続している。このような構成とすることによって、センサ部分を人体に装着することを容易にした。特に、センサ部分を耳介に装着する場合には、センサの小型軽量化を図ることができ、継続的な血圧測定を可能にする血圧測定装置を提供することができる。
【０００８】
具体的には、本願発明は、被検体の脈波を測定する脈波センサと、前記被検体の一部を押圧するカフと、前記脈波センサ及び前記カフを被検体に保持する保持機構と、を備える血圧測定部と、前記カフに空気を供給する加圧ポンプと、前記カフからの空気の排気量を制限する減圧弁と、前記カフ内部の圧力を計測する圧力センサと、前記加圧ポンプの空気の供給と前記減圧弁の空気の排気量を制御し、前記圧力センサの計測する圧力における前記脈波センサで測定した脈波の大小から被検体の血圧を演算する電子回路と、前記電子回路で演算した結果を表示する表示回路と、前記脈波センサ、前記加圧ポンプ、前記減圧弁、前記電子回路及び前記表示回路に電力を供給する電池と、を備える血圧演算処理部とからなる血圧測定装置であって、前記血圧測定部の前記カフと前記血圧演算処理部の前記加圧ポンプ、前記減圧弁及び前記圧力センサとは中空チューブで接続され、前記血圧測定部の前記脈波センサと前記血圧演算処理部の前記電子回路とは電気ケーブルで接続され、前記血圧測定部の前記脈波センサと前記血圧演算処理部の前記電池とは電気ケーブルで接続されていることを特徴とする血圧測定装置である。
【０００９】
本願発明により、小型軽量の血圧測定部を被検体の血圧測定部分に装着し、比較的大型の血圧演算処理部を被検体の腰などに装着することにより、被検体への負担を軽減して、安定に継続的に血圧を測定することができる。
【００１０】
本願発明では、前記脈波センサは、被検体に光を照射する発光素子と、前記発光素子の照射した光が前記被検体で散乱又は前記被検体を透過した光を検出する受光素子とを有してもよい。
【００１１】
本願発明により、前記脈波センサは高精度に脈波を検出できるので、高精度に血圧を測定することが可能になる。
【００１２】
本願発明では、前記脈波センサは、被検体に超音波を照射する超音波発生素子と、前記超音波発生素子の照射した超音波が前記被検体で散乱又は前記被検体を透過した超音波を検出する超音波受信素子とを有してもよい。
【００１３】
本願発明により、前記脈波センサは高精度に脈波を検出できるので、簡易に高精度に血圧を測定することが可能になる。
【００１４】
本願発明では、前記脈波センサは、被検体からの振動を検知する振動センサを有してもよい。
【００１５】
本願発明により、前記脈波センサは低消費電力で脈波を検出できるので、低消費電力で血圧を測定することが可能になる。
【００１６】
本願発明では、前記脈波センサは、被検体からの音波を検知するマイクロフォンを有してもよい。
【００１７】
本願発明により、前記脈波センサは簡易に低消費電力で脈波を検出できるので、簡易に低消費電力で血圧を測定することが可能になる。
【００１８】
本願発明では、前記保持機構は前記脈波センサ及び前記カフを被検体としての生体の耳介に保持し、前記脈波センサは被検体としての耳介の脈波を測定し、前記カフは前記被検体の一部として耳介の一部を押圧してもよい。
【００１９】
本願発明により、前記脈波センサ及び前記カフは耳介に装着し、脈波を測定するので、日常生活において簡便に継続的に血圧を測定することが可能になる。
【００２０】
本願発明では、前記血圧演算処理部は、音を発生するスピーカをさらに備え、前記スピーカから前記血圧測定部に接続された中空チューブを介して前記スピーカからの音を前記耳介に伝搬させてもよい。
【００２１】
本願発明により、前記血圧演算処理部の前記スピーカは中空チューブを介して音を前記耳介に伝搬することにより、被検体に血圧測定の開始などの有用な情報を容易に提供できるので、容易に正確に血圧を測定することが可能になる。
【００２２】
本願発明では、前記血圧演算処理部の前記電子回路は、演算した血圧情報の信号を前記スピーカに送出してもよい。
【００２３】
本願発明により、演算した血圧情報の信号を前記スピーカに送出することにより、異常な血圧の上昇などに緊急事態の通報が可能となり、血圧測定にともなう緊急の処置が可能となる。
【００２４】
本願発明では、前記血圧演算処理部は、音楽信号を再生する音楽記録再生機をさらに備え、前記音楽記録再生機は再生した音楽の信号を前記スピーカに送出してもよい。
【００２５】
本願発明により、前記血圧演算処理部の音楽記録再生機は再生した音楽の信号を前記スピーカに送出することにより、被検体を緊張から開放し、安静状態の血圧を正確に測定することが可能となる。
【００２６】
本願発明では、前記血圧演算処理部の前記スピーカは、音量が制御できる構成としてもよい。
【００２７】
本願発明により、前記血圧演算処理部の前記スピーカは、音量を制御可能とすることにより、例えば騒音の多い場所、あるいは静かな場所に応じて、快適な音量で情報を伝達可能となるので、快適に正確に血圧を測定することが可能になる。
【００２８】
本願発明では、前記血圧演算処理部は、時刻を計測するタイマをさらに備え、前記スピーカは前記タイマの計測した時刻に依存して音量が制御される構成としてもよい。
【００２９】
本願発明により、前記血圧演算処理部の前記タイマの計測した時刻に依存して前記スピーカの音量を制御することにより、例えば、夜間は音量を小さくするなど被検体の生活サイクルに合わせて、快適に血圧を測定することが可能になる。
【００３０】
本願発明では、前記中空チューブ及び電気ケーブルの少なくとも一端は、脱着可能なコネクタで接続されている構成としてもよい。
【００３１】
本願発明により、前記中空チューブ及び電気ケーブルと、前記血圧測定部又は血圧演算処理部との間が着脱可能となり、前記血圧測定部及び血圧演算処理部の被検体への装着が容易になり、あるいは緊急時の取り外しが容易になるので、容易に血圧を測定することが可能になる。
【００３２】
本願発明では、前記中空チューブ及び電気ケーブルをまとめて衣服に留めるクリップをさらに備えてもよい。
【００３３】
本願発明により、前記中空チューブ及び電気ケーブルをまとめて衣服に留めることが可能となるので、前記中空チューブ及び電気ケーブルの振動による雑音の発生量を少なくし、かつ被検体の動作を妨害することなく、安定に血圧を測定することが可能になる。
【００３４】
本願発明では、前記中空チューブ及び電気ケーブルをまとめて衣服に留める粘着部をさらに備えてもよい。
【００３５】
本願発明により、前記中空チューブ及び電気ケーブルをまとめて衣服に留めることが可能となるので、前記中空チューブ及び電気ケーブルの振動による雑音の発生量を少なくし、かつ被検体の動作を妨害することなく、安定に血圧を測定することが可能になる。
【００３６】
本願発明では、前記電気ケーブルの外皮及び前記中空チューブが振動吸収材で形成されている構成としてもよい。
【００３７】
本願発明により、前記電気ケーブル及び前記中空チューブの振動の発生量を減少させ、さらに振動が前記血圧測定部及び血圧演算処理部へ伝達される量を減少させて、前記電気ケーブル及び前記中空チューブの振動の振動による雑音の発生量と伝達量を減少させるので、正確に血圧を測定することが可能になる。
【００３８】
本願発明では、前記電気ケーブルの接続部及び前記中空チューブの接続部が振動吸収材で形成されている構成としてもよい。
【００３９】
本願発明により、前記電気ケーブルの外皮及び前記中空チューブの振動が前記血圧測定部へ伝達されるのを防止するので、正確に血圧を測定することが可能になる。
【発明の効果】
【００４０】
本願発明によれば、センサ部分を人体に装着することを容易にする血圧測定装置を提供することができる。特に、センサ部分を耳介に装着する場合には、センサの小型軽量化を図ることによって、継続的な血圧測定を可能にする血圧測定装置を提供することができる。
【発明を実施するための最良の形態】
【００４１】
添付の図面を参照して本発明の実施の形態を説明する。
以下に説明する実施の形態は本発明の構成の例であり、本発明は、以下の実施の形態に制限されるものではない。
【００４２】
本実施の形態の血圧測定装置は、被検体の脈波を測定する脈波センサと、前記被検体の一部を押圧するカフと、前記脈波センサ及び前記カフを被検体に保持する保持機構と、を備える血圧測定部と、前記カフに空気を供給する加圧ポンプと、前記カフからの空気の排気量を制限する減圧弁と、前記カフ内部の圧力を計測する圧力センサと、前記加圧ポンプの空気の供給と前記減圧弁の空気の排気量を制御し、前記圧力センサの計測する圧力における前記脈波センサで測定した脈波の大小から被検体の血圧を演算する電子回路と、前記電子回路で演算した結果を表示する表示回路と、前記脈波センサ、前記加圧ポンプ、前記減圧弁、前記電子回路及び前記表示回路に電力を供給する電池と、を備える血圧演算処理部とからなる血圧測定装置であって、前記血圧測定部の前記カフと前記血圧演算処理部の前記加圧ポンプ、前記減圧弁及び前記圧力センサとは中空チューブで接続され、前記血圧測定部の前記脈波センサと前記血圧演算処理部の前記電子回路とは電気ケーブルで接続され、前記血圧測定部の前記脈波センサと前記血圧演算処理部の前記電池とは電気ケーブルで接続されている血圧測定装置である。
【００４３】
図１に本実施の形態の血圧測定装置の構成例を示す。図１において、血圧測定装置１は血圧測定部１０、血圧演算処理部３０、中空チューブ６１、電気ケーブル６２により構成される。
【００４４】
血圧測定部１０はカフ１２、脈波センサ１１、保持機構１３により構成される。ここで、図１に示す構成例においては、脈波センサ１１はカフ１２の中に設けられている。
カフ１２は一端を保持機構１３に接続されている。図１に示す構成例においては、カフ１２は円筒状に構成して耳介の外耳道の中に挿入され、カフ１２の表面は外耳道の内面の被検体５に接している状態を示している。ここで、保持機構１３は耳介の耳輪の根元に装着する場合の構成を模式的に示しており、具体的な形状の例と耳介への装着状態は後述する。
【００４５】
血圧演算処理部３０は加圧ポンプ３１、減圧弁３２、圧力センサ３３、電子回路４１、表示回路４２、電池４３、筐体４０、空気パイプ３４、信号線３５、電力線３６により構成される。
【００４６】
加圧ポンプ３１、減圧弁３２、圧力センサ３３は空気パイプ３４により相互に接続され、さらに加圧ポンプ３１、減圧弁３２、圧力センサ３３は空気パイプ３４及び筐体４０の外部の中空チューブ６１を介して、カフ１２と接続されている。
【００４７】
電子回路４１は信号線３５により表示回路４２、圧力センサ３３と接続され、さらに電子回路４１は信号線３５及び筐体４０の外部の電気ケーブル６２を介して、脈波センサ１１と接続されている。
【００４８】
電池４３は電力線３６により加圧ポンプ３１、減圧弁３２、圧力センサ３３、電子回路４１、表示回路４２と接続され、さらに電池４３は電力線３６と筐体４０の外部の電気ケーブル６２を介して、脈波センサ１１と接続されている。
【００４９】
次に、血圧測定装置１を構成する各部の機能を説明する。カフ１２は加圧ポンプ３１により空気を供給されて空気圧により被検体５の一部を圧迫する機能を有する。図１においては、カフ１２は円柱状の外形であり、被検体５の外耳道内に挿入し膨張して、外耳道の内面の圧迫する構成の例を示している。
【００５０】
脈波センサ１１はカフ１２が圧迫する被検体５の内部の動脈の脈波を検出し、電気信号に変換して、電子回路４１へ送信する機能を有する。脈波センサ１１が被検体５の脈波を検出する原理は後述する。
【００５１】
保持機構１３はカフ１２を被検体５に接触させて固定する機能を有し、図１に示す保持機構１３は耳介の耳輪の根元を囲むように装着する場合の構成例を模式的に示しているが、具体的な形状は後述する。
【００５２】
加圧ポンプ３１は空気パイプ３４及び筐体４０の外部の中空チューブ６１を介してカフ１２へ空気を供給する機能を有する。
【００５３】
減圧弁３２はカフ１２の内部の空気を排気することにより、カフ１２の内部の空気圧を減少させる機能を有する。
【００５４】
圧力センサ３３は空気パイプ３４及び筐体４０の外部の中空チューブ６１を介してカフ１２の内部の空気圧を測定する機能を有する。
【００５５】
空気パイプ３４は加圧ポンプ３１、減圧弁３２、圧力センサ３３の相互間の空気を流通させ、さらに中空チューブ６１を介して加圧ポンプ３１、減圧弁３２、圧力センサ３３の各々とカフ１２との間の空気の流通させる機能を有する。
【００５６】
電子回路４１はカフ１２が被検体５を圧迫する圧力の値と、脈波センサ１１被検体５の脈波を検出し電気信号に変換した信号から、所定の方法により被検体５の血圧を演算する機能を有する。
【００５７】
表示回路４２は電子回路４１が演算した血圧に関する血圧情報を表示する機能を有する。
【００５８】
電池４３は脈波センサ１１、電子回路４１、表示回路４２、加圧ポンプ３１、減圧弁３２、圧力センサ３３へ電力を供給する機能を有する。
【００５９】
筐体４０は血圧演算処理部３０を構成する各部分を保持し保護する機能を有する。
【００６０】
中空チューブ６１はカフ１２と空気パイプ３４の間で空気を流通させ、カフ１２、加圧ポンプ３１、減圧弁３２、圧力センサ３３相互間の空気の流通させる機能を有する。
【００６１】
電気ケーブル６２は電力線３６を介して、電池４３と脈波センサ１１の間で電力を送電する機能を有し、さらに信号線３５を介して脈波センサ１１と電子回路４１の間で信号を伝送する機能を有する。
【００６２】
次に、本実施の形態の血圧測定装置１の動作を説明する。加圧ポンプ３１は空気パイプ３４及び中空チューブ６１を介してカフ１２に空気を供給し、カフ１２は供給される空気により上昇する圧力で被検体５を圧迫する過程、あるいは、カフ１２が被検体５の血流が停止する程に高い圧力で圧迫する状態から減圧弁３２によりカフ１２の内部の空気を排気してカフ１２が被検体５を圧迫する圧力が減少する過程において、脈波センサ１１は被検体５の脈波を検出し電気信号に変換して、電気ケーブル６２を介して、電子回路４１へ送信する。
【００６３】
電子回路４１は脈波センサ１１から受信した脈波に対応する電気信号と圧力センサ３３が測定するカフ１２の圧力の値から所定の方法により、被検体５の血圧を演算して、演算した血圧に関する血圧情報を表示回路４２に送信し、表示回路４２は受信した血圧情報を表示する。
【００６４】
上記の血圧測定の過程において、血圧測定の開始及び終了、あるいは加圧ポンプ３１、減圧弁３２、圧力センサ３３の動作の制御など一連の動作は、手動で制御してもよく、あるいは電子回路４１に制御回路を搭載して、電子回路４１と加圧ポンプ３１、減圧弁３２、圧力センサを信号線により接続して制御してもよい。
【００６５】
また、上記においては、カフ１２は外耳道に挿入する形状の場合を説明したが、カフ１２を2個の直方体状に構成し、保持機構１３により例えば耳介の耳珠に挟むように接して保持して、血圧を測定してもよく、詳細は後述する。
【００６６】
上記のように、本実施の形態の血圧測定装置１は、小型軽量の血圧測定部１０を例えば被検体５の耳介に装着し、比較的大型の血圧演算処理部３０を腰などに装着することにより、被検体への負担を軽減して、安定に継続的に血圧を測定することができる。
【００６７】
以上説明したように、本発明の血圧測定装置は、被検体への負担を軽減して、安定に継続的に血圧を測定できる血圧測定装置を提供できる。
【００６８】
本実施の形態の血圧測定装置は、前記脈波センサを、被検体に光を照射する発光素子と、前記発光素子の照射した光が前記被検体で散乱又は前記被検体を透過した光を検出する受光素子とを有する構成としてもよい。
【００６９】
本実施の形態の血圧測定装置は、図１により説明した血圧測定装置１において、脈波センサ１１を前記発光素子及び前記受光素子により構成する場合であり、脈波センサ１１以外は図１により説明した血圧測定装置１と同様の構成であるので、図１により説明した血圧測定装置１を本実施の形態の血圧測定装置として説明する。
【００７０】
本実施の形態の血圧測定装置１の脈波センサ１１以外の部分の機能及び動作は、図１により説明した血圧測定装置１と同様である。
【００７１】
図２（Ａ）、図２（Ｂ）に本実施の形態の血圧測定装置１の前記脈波センサの構成例を示す。図２（Ａ）、図２（Ｂ）において、脈波センサ１１は発光素子１８及び受光素子２０により構成され、カフ１２の中に設けられている。ここで、図２（Ａ）、図２（Ｂ）においては、発光素子１８の駆動回路、あるいは受光素子２０の受信増幅器、電源供給線などの通常の技術により実現できる部分は図示していない。
【００７２】
図２（Ａ）に示すカフ１２は１個のカフ１２に発光素子１８及び受光素子２０を設ける場合であり、カフ１２の一方の面は被検体５に接している状態を示している。
【００７３】
図２（Ａ）に示すカフ１２において、発光素子１８は照射光１９がカフ１２に接する被検体５に照射される位置に設けられ、受光素子２０は照射光１９が被検体５の内部の動脈６の壁面あるいは動脈６の内部の血球により散乱された散乱光２１を受光する位置に設けられる。
【００７４】
発光素子１８は照射光１９を照射する機能を有し、受光素子２０は照射光１９が被検体５の動脈６の壁面あるいは動脈６の内部の血球により散乱された散乱光２１を受光して電気信号に変換し、図１に示す電気ケーブル６２により電子回路４１へ送信する機能を有する。
【００７５】
発光素子１８は照射光１９をカフ１２に接する被検体５へ照射し、受光素子２０は照射光１９が被検体５の内部の動脈６の壁面、あるいは動脈６の内部の血球により散乱された散乱光２１を受光し、散乱光２１が受けるドップラー効果による波長の変化から動脈６の脈動、あるいは動脈６の内部の血流の脈動に対応する脈波を検出し、検出した脈波を電気信号に変換し、電気ケーブル６２を介して、電子回路４１へ送信するようにしてもよい。
【００７６】
図２（Ｂ）に示すカフ１２において、発光素子１８は一方のカフ１２の中で照射光１９がカフ１２に接する被検体５に照射される位置に設けられ、受光素子２０は他方のカフ１２の中に設けられ、照射光１９が被検体５の内部を通過する過程で、動脈６の壁面あるいは動脈６の内部の血球により散乱された散乱光２１を受光する位置に設けられる。
【００７７】
発光素子１８は照射光１９を照射する機能を有し、受光素子２０は照射光１９が被検体５を通過する過程で、被検体５の動脈６の壁面、あるいは動脈６の内部の血球により散乱された散乱光２１を受光して電気信号に変換し、図１に示す電気ケーブル６２により電子回路４１へ送信する機能を有する。
【００７８】
発光素子１８は照射光１９をカフ１２に接する被検体５へ照射し、受光素子２０は照射光１９が被検体５を通過する過程で、被検体５の内部の動脈６の壁面、あるいは動脈６の内部の血球により散乱された散乱光２１を受光し、散乱光２１が受けるドップラー効果による波長の変化から動脈６の脈動、あるいは動脈６の内部の血流の脈動に対応する脈波を検出し、検出した脈波を電気信号に変換し、電気ケーブル６２を介して、電子回路４１へ送信するようにしてもよい。
【００７９】
上記のように、本実施の形態の血圧測定装置１は、脈波センサ１１を発光素子１８及び受光素子２０で構成することにより、脈波を高精度に検出し、高精度に血圧を測定することができる。
【００８０】
従って、脈波センサ１１により検出された脈波に対応する電気信号は、図１により説明した実施の形態の血圧測定装置１と同様に電子回路４１により演算され、血圧が測定される。
【００８１】
本実施の形態の血圧測定装置は、前記脈波センサを、被検体に超音波を照射する超音波発生素子と、前記超音波発生素子の照射した超音波が前記被検体で散乱又は前記被検体を透過した超音波を検出する超音波受信素子とを有する構成としてもよい。
【００８２】
本実施の形態の血圧測定装置は、図１により説明した血圧測定装置１において、脈波センサ１１を前記超音波発光素子及び前記超音波受光素子により構成する場合であり、脈波センサ１１以外は図１により説明した血圧測定装置１と同様の構成であるので、図１により説明した血圧測定装置１を本実施の形態の血圧測定装置として説明する。
【００８３】
本実施の形態の血圧測定装置１の脈波センサ１１以外の部分の機能及び動作は、図１により説明した血圧測定装置１と同様である。
【００８４】
図３（Ａ）、図３（Ｂ）に本実施の形態の血圧測定装置の前記脈波センサの構成例を示す。図３（Ａ）、図３（Ｂ）において、脈波センサ１１は超音波発生素子２２及び超音波受信素子２４により構成され、カフ１２の中に設けられている。ここで、図３（Ａ）、図３（Ｂ）においては、超音波発生素子２２の駆動回路、あるいは超音波受信素子２４の受信増幅器、電源供給線などの通常の技術により実現できる部分は図示していない。
【００８５】
図３（Ａ）に示すカフ１２は１個のカフ１２に超音波発生素子２２及び超音波受信素子２４を設ける場合であり、カフ１２の一方の面は被検体５に接している状態を示している。
【００８６】
図３（Ａ）に示すカフ１２において、超音波発生素子２２は照射超音波２３がカフ１２に接する被検体５に照射される位置に設けられ、超音波受信素子２４は照射超音波２３が被検体５の内部の動脈６の壁面、あるいは動脈６の内部の血球により散乱された散乱超音波２５を受信する位置に設けられる。
【００８７】
超音波発生素子２２は照射超音波２３を照射する機能を有し、超音波受信素子２４は照射超音波２３が被検体５の動脈６の壁面、あるいは動脈６の内部の血球により散乱された散乱超音波２５を受信して電気信号に変換し、図１に示す電気ケーブル６２により電子回路４１へ送信する機能を有する。
【００８８】
超音波発生素子２２は照射超音波２３をカフ１２に接する被検体５へ照射し、超音波受信素子２４は照射超音波２３が被検体５の内部の動脈６の壁面、あるいは動脈６の内部の血球により散乱された散乱超音波２５を受信し、散乱超音波２５が受けるドップラー効果による波長の変化から動脈６の脈動、あるいは動脈６の内部の血流の脈動に対応する脈波を検出し、検出した脈波を電気信号に変換し、電気ケーブル６２を介して、電子回路４１へ送信するようにしてもよい。
【００８９】
図３（Ｂ）に示すカフ１２において、超音波発生素子２２は一方のカフ１２の中で照射超音波２３がカフ１２に接する被検体５に照射される位置に設けられ、超音波受信素子２４は他方のカフ１２の中に設けられ、照射超音波２３が被検体５の内部を通過する過程で、動脈６の壁面あるいは動脈６の内部の血球により散乱された散乱超音波２５を受信する位置に設けられる。
【００９０】
超音波発生素子２２は照射超音波２３を照射する機能を有し、超音波受信素子２４は照射超音波２３が被検体５を通過する過程で、被検体５の動脈６の壁面、あるいは動脈６の内部の血球により散乱された散乱超音波２５を受信して電気信号に変換し、図１に示す電気ケーブル６２により電子回路４１へ送信する機能を有する。
【００９１】
超音波発生素子２２は照射超音波２３をカフ１２に接する被検体５へ照射し、超音波受信素子２４は照射超音波２３が被検体５を通過する過程で、被検体５の内部の動脈６の壁面、あるいは動脈６の内部の血球により散乱された散乱超音波２５を受信し、散乱超音波２５が受けるドップラー効果による波長の変化から動脈６の脈動、あるいは動脈６の内部の血流の脈動に対応する脈波を検出し、検出した脈波を電気信号に変換し、電気ケーブル６２を介して、電子回路４１へ送信するようにしてもよい。
【００９２】
上記のように、本実施の形態の血圧測定装置１は、脈波センサ１１を超音波発生素子２２及び超音波受信素子２４により構成することにより、脈波を高精度に検出することができる。
【００９３】
従って、脈波センサ１１により検出された脈波に対応する電気信号は、図１により説明した実施の形態の血圧測定装置１と同様に電子回路４１により演算され、高精度に血圧が測定される。
【００９４】
本実施の形態の血圧測定装置は、前記脈波センサを、被検体からの振動を検知する振動センサを有する構成としてもよい。
【００９５】
本実施の形態の血圧測定装置は、図１により説明した血圧測定装置１において、脈波センサ１１を前記振動センサにより構成する場合であり、脈波センサ１１以外は図１により説明した血圧測定装置１と同様の構成であるので、図１により説明した血圧測定装置１を本実施の形態の血圧測定装置として説明する。
【００９６】
本実施の形態の血圧測定装置１の脈波センサ１１以外の部分の機能及び動作は、図１により説明した血圧測定装置１と同様である。
【００９７】
図４に本実施の形態の血圧測定装置の前記脈波センサの構成例を示す。図４において、脈波センサ１１は振動センサ２６により構成さ、カフ１２の中に設けられている。ここで、図４においては、振動センサ２６の受信増幅器、電源供給線などの通常の技術により実現できる部分は図示していない。
【００９８】
図４において、カフ１２の一方の表面は被検体５に接している状態を示している。
【００９９】
振動センサ２６はカフ１２に接する被検体５の内部の動脈６の脈動により発生する振動から脈波を検出し、検出した脈波を電気信号に変換し、電気ケーブル６２を介して、電子回路４１へ送信する。
【０１００】
上記のように、本実施の形態の血圧測定装置１は、脈波センサ１１を振動センサ２６により構成することにより、脈波を低消費電力で検出し、低消費電力で血圧を測定することができる。
【０１０１】
従って、脈波センサ１１により検出された脈波に対応する電気信号は、図１により説明した実施の形態の血圧測定装置１と同様に電子回路４１により演算され、血圧が測定される。
【０１０２】
本実施の形態の血圧測定装置は、前記脈波センサを、被検体からの音波を検知するマイクロフォンを有する構成としてもよい。
【０１０３】
本実施の形態の血圧測定装置は、図１により説明した血圧測定装置１において、脈波センサ１１を前記マイクロフォンにより構成する場合であり、脈波センサ１１以外は図１により説明した血圧測定装置１と同様の構成であるので、図１により説明した血圧測定装置１を本実施の形態の血圧測定装置として説明する。
【０１０４】
本実施の形態の血圧測定装置１の脈波センサ１１以外の部分の機能及び動作は、図１により説明した血圧測定装置１と同様である。
【０１０５】
図５に本実施の形態の血圧測定装置の前記脈波センサの構成例を示す。図５において、脈波センサ１１はマイクロフォン２８により構成され、カフ１２の中に設けられている。ここで、図５においては、マイクロフォン２８の受信増幅器、電源供給線などの通常の技術により実現できる部分は図示していない。
【０１０６】
図５において、カフ１２の一方の表面は被検体５に接している状態を示している。
【０１０７】
マイクロフォン２８はカフ１２に接する被検体５の内部の動脈６の脈動により発生する音波から脈波を検出し、検出した脈波を電気信号に変換し、電気ケーブル６２を介して、電子回路４１へ送信する。
【０１０８】
上記のように、本実施の形態の血圧測定装置１は、脈波センサ１１をマイクロフォン２８により構成することにより、脈波を簡易に低消費電力で検出し、簡易に低消費電力で血圧を測定することができる。
【０１０９】
従って、脈波センサ１１により検出された脈波に対応する電気信号は、図１により説明した実施の形態の血圧測定装置１と同様に電子回路４１により演算され、血圧が測定される。
【０１１０】
本実施の形態の血圧測定装置は、前記保持機構は前記脈波センサ及び前記カフを被検体としての生体の耳介に保持し、前記脈波センサは被検体としての耳介の脈波を測定し、前記カフは前記被検体の一部として耳介の一部を押圧する構成としてもよい。
【０１１１】
本実施の形態の血圧測定装置は、図１により説明した血圧測定装置１において、脈波センサ１１及びカフ１２を耳介に装着する場合であり、本実施の形態の血圧測定装置の構成は図１により説明した血圧測定装置１と同様であるので、図１により説明した血圧測定装置１を本実施の形態の血圧測定装置として説明する。
【０１１２】
図６（Ａ）、図６（Ｂ）に本実施の形態の血圧測定装置１の血圧測定部１０を耳介に装着した状態の例を示す。
【０１１３】
図６（Ａ）に示す血圧測定部１０の装着例において、カフ１２は耳介の外耳道に挿入され、保持機構１３はカフ１２を保持するとともに、耳輪８の付け根を囲むリング状の形状を有し、カフ１２を安定に保持している。中空チューブ６１及び電気ケーブル６２は図６（Ａ）の下方の図示していない血圧演算処理部へ接続されている。
【０１１４】
図６（Ｂ）に示す血圧測定部１０の装着例において、カフ１２は２個で構成され、２個のカフ１２は耳介の耳珠７を両面から挟むように装着され、保持機構１３は２個のカフ１２を保持するとともに、耳輪８の付け根を囲むリング状の形状を有し、カフ１２を安定に固定している。中空チューブ６１及び電気ケーブル６２は図６（Ｂ）の下方の図示していない血圧演算処理部へ接続されている。
【０１１５】
上記のように本実施の形態の血圧測定装置１のカフ１２は耳介において血圧を測定するために特徴的な形状を持ち、また、保持機構１３は耳介に装着するための機構を持つ点が特徴である。
【０１１６】
本実施の形態の血圧測定装置１の基本動作は図１により説明した実施の形態の血圧測定装置１と同様であるが、本実施の形態の血圧測定装置は血圧測定部１０を耳介に装着し、耳介において血圧を測定する点が特徴である。
【０１１７】
上記のように、本実施の形態の血圧測定装置は、血圧測定部１０を耳介に装着することにより、日常生活において簡便に継続的に血圧を測定することができる。
【０１１８】
本実施の形態の血圧測定装置は、前記血圧演算処理部が、音を発生するスピーカをさらに備え、前記スピーカから前記血圧測定部に接続された中空チューブを介して前記スピーカからの音を前記耳介に伝搬させる構成としてもよい。
【０１１９】
図７に本実施の形態の血圧測定装置の構成例を示す。図７において、本実施の形態の血圧測定装置１は、図１に示す血圧測定装置１の血圧演算処理部３０に、スピーカ４４が追加され、スピーカ４４と電子回路４１は信号線３５により接続され、スピーカ４４の音声出力部分は空気パイプ３４によりカフ１２と接続された構成であり、スピーカ４４及び電子回路４１と接続する信号線３５、スピーカ４４と接続する空気パイプ３４以外の部分は図１に示す血圧測定装置１と同様である。ここで、図面の煩雑さを避けるためにスピーカ４４の電源ケーブルなどの通常の技術により実現できる部分は図示していない。
【０１２０】
スピーカ４４は電子回路４１の制御により音を発する機能を有する。
【０１２１】
図７に示す本実施の形態の血圧測定装置１の動作において、スピーカ４４以外の動作は図１により説明した血圧測定装置１の動作と同様であり、スピーカ４４は図１により説明した血圧測定装置１と同様な血圧測定の過程において、電子回路４１の制御により、例えば血圧測定の開始などの有用な情報を知らせる音を発し、空気パイプ３４及び中空チューブ６１を介して音を耳介に伝達する。
【０１２２】
上記のように、本実施の形態の血圧測定装置１は、音を発生するスピーカをさらに備え、血圧測定の過程において、例えば血圧測定の開始などの有用な情報を容易に提供できるので、容易に正確な血圧を測定することができる。
【０１２３】
本実施の形態の血圧測定装置は、前記血圧演算処理部の前記電子回路が、演算した血圧情報の信号を前記スピーカに送出する構成としてもよい。
【０１２４】
本実施の形態の血圧測定装置の構成は図７により説明した実施の形態の血圧測定装置１と同様であるので、図７により説明した実施の形態の血圧測定装置１を本実施の形態の血圧測定装置として説明する。
【０１２５】
本実施の形態の血圧測定装置１の動作において、電子回路４１の動作以外は図７により説明した血圧測定装置１と同様であり、電子回路４１は、図７により説明した血圧測定装置１と同様な血圧測定の過程において、演算した血圧に関する血圧情報の信号をスピーカ４４へ送信し、スピーカ４４は受信した血圧情報を音として発し、空気パイプ３４及び中空チューブ６１を介して、被検体５へ伝達する。
【０１２６】
上記のように、本実施の形態の血圧測定装置１は、電子回路４１が演算した血圧情報の信号をスピーカ４４へ送信し、スピーカ４４は受信した血圧情報を音として発し、被検体５へ伝達するので、異常な血圧の上昇などの緊急事態を通報できる。
【０１２７】
従って、本発明の血圧測定装置は、被検体に緊急事態などの有用な血圧情報を伝達し、緊急処置が可能な血圧測定装置を提供できる。
【０１２８】
本実施の形態の血圧測定装置は、前記血圧演算処理部が、音楽信号を再生する音楽記録再生機をさらに備え、前記音楽記録再生機は再生した音楽の信号を前記スピーカに送出する構成としてもよい。
【０１２９】
図８に本実施の形態の血圧測定装置の構成例を示す。図８において、本実施の形態の血圧測定装置１は、図７により説明した血圧測定装置１の血圧演算処理部３０に、信号線３５によりスピーカ４４に接続され音楽記録再生機４５が追加された構成であり、音楽記録再生機４５以外の部分は図７に示す血圧測定装置１と同様である。ここで、図面の煩雑さを避けるために音楽記録再生機４５の電源ケーブルなどの通常の技術により実現できる部分は図示していない。
【０１３０】
本実施の形態の血圧測定装置１の音楽記録再生機４５は音楽を記録し、かつ再生する機能を有する。
【０１３１】
図８に示す本実施の形態の血圧測定装置１の動作において、音楽記録再生機４５以外の動作は図７により説明した血圧測定装置１の動作と同様であり、音楽記録再生機４５は、図７により説明した血圧測定装置１と同様な血圧測定の過程において、予め記録された音楽を再生してスピーカ４４へ送信し、スピーカ４４は再生した音楽を空気パイプ３４及び中空チューブ６１を介して耳介に伝達する。ここで、音楽記録再生機４５の動作は手動により制御してもよく、あるいは電子回路４１に制御回路を搭載して、電子回路４１と音楽記録再生機４５を信号線により接続して、電子回路４１により音楽記録再生機４５の動作を制御してもよい。
【０１３２】
上記のように、本実施の形態の血圧測定装置１は、音楽記録再生機４５が予め記録した音楽を再生し、再生した音楽を被検体５へ伝達するので、被検体を緊張から開放し、安静状態の血圧を正確に測定することができる。
【０１３３】
従って、本発明の血圧測定装置は安静状態の血圧を正確に測定可能な血圧測定装置を提供できる。
【０１３４】
本実施の形態の血圧測定装置は、前記血圧演算処理部の前記スピーカが、音量が制御できる構成としてもよい。
【０１３５】
図９に本実施の形態の血圧測定装置の構成例を示す。図９において、本実施の形態の血圧測定装置１は、図８により説明した血圧測定装置１の血圧演算処理部３０に、信号線３５によりスピーカ４４に接続された音量制御器４６を追加した構成であり、音量制御器４６以外の構成は図８により説明した血圧測定装置１と同様である。ここで、図面の煩雑さを避けるために音量制御器４６の電源ケーブルなどの通常の技術により実現できる部分は図示していない。
【０１３６】
本実施の形態の血圧測定装置１の音量制御器４６はスピーカ４４の発する音量を制御する機能を有する。
【０１３７】
図９に示す本実施の形態の血圧測定装置１の動作において、音量制御器４６以外の動作は図８により説明した血圧測定装置１の動作と同様であり、音量制御器４６は、図８により説明した血圧測定装置１と同様な血圧測定の過程において、スピーカ４４の音量を、騒音の多い場所、あるいは静かな場所に応じて、適切な音量に制御する。ここで、音量制御器４６は手動により制御してもよく、あるいは電子回路４１に制御回路を搭載して、電子回路４１と音量制御器４６を信号線により接続して、電子回路４１により音量制御器４６を制御してもよい。
【０１３８】
上記のように、本実施の形態の血圧測定装置１は、音量制御器４６がスピーカ４４の音量を適切に制御するので、例えば、騒音の多い場所、あるいは静かな場所に応じて、快適な音量で情報を伝達し、快適に正確に血圧を測定することができる。
【０１３９】
従って、本発明の血圧測定装置は適切な音量で情報を被検体に伝達し、快適に正確に血圧を測定できる血圧測定装置を提供できる。
【０１４０】
本実施の形態の血圧測定装置は、前記血圧演算処理部が、時刻を計測するタイマをさらに備え、前記スピーカは前記タイマの計測した時刻に依存して音量が制御される構成としてもよい。
【０１４１】
図１０に本実施の形態の血圧測定装置の構成例を示す。図１０において、本実施の形態の血圧測定装置１は図９により説明した血圧測定装置１の血圧演算処理部３０に、信号線３５により音量制御器４６に接続されたタイマ４７を追加した構成であり、タイマ４７以外の構成は図９により説明した血圧測定装置１と同様である。ここで、図面の煩雑さを避けるためにタイマ４７の電源ケーブルなどの通常の技術により実現できる部分は図示していない。
【０１４２】
本実施の形態の血圧測定装置１のタイマ４７は時刻を計測し、計測した時刻に依存して音量制御器４６を制御することによりスピーカ４４の発する音量を制御する機能を有する。
【０１４３】
図１０に示す本実施の形態の血圧測定装置１の動作において、タイマ４７以外の動作は図９により説明した血圧測定装置１の動作と同様であり、タイマ４７は、図９により説明した血圧測定装置１と同様な血圧測定の過程において、時刻を計測し、計測した時刻に依存して音量制御器４６を制御することによりスピーカ４４の発する音量を制御する。ここで、タイマ４７は手動により制御してもよく、あるいは電子回路４１に制御回路を搭載して、電子回路４１とタイマ４７を信号線により接続して、電子回路４１によりタイマ４７を制御してもよい。
【０１４４】
上記のように、本実施の形態の血圧測定装置１は、タイマ４７が、例えば夜間はスピーカ４４の音量を小さくし、被検体の生活サイクルにあわせてスピーカ４４の音量を適切に制御するので、快適に正確に血圧を測定することができる。
【０１４５】
従って、本発明の血圧測定装置は、被検体の生活サイクルにあわせて、適切な音量で情報を被検体に伝達し、快適に正確に血圧を測定できる血圧測定装置を提供できる。
【０１４６】
本実施の形態の血圧測定装置は、前記中空チューブ及び電気ケーブルの少なくとも一端が、脱着可能なコネクタで接続されている構成としてもよい。
【０１４７】
図１１に本実施の形態の血圧測定装置の構成例を示す。図１１において、本実施の形態の血圧測定装置１は図１０により説明した血圧測定装置１の中空チューブ６１及び電気ケーブル６２と、血圧測定部１０及び血圧演算処理部３０の少なくとも一方と、を接続する部分に、コネクタ１５及びコネクタ５１の少なくとも一方を追加した構成であり、コネクタ１５及びコネクタ５１以外の構成は図１１により説明した血圧測定装置１と同様である。ここで、図１１においては、コネクタ１５及びコネクタ５１の両方を設けた場合の構成を示している。
【０１４８】
本実施の形態の血圧測定装置１のコネクタ１５及びコネクタ５１の各々は、中空チューブ６１及び電気ケーブル６２と、血圧測定部１０及び血圧演算処理部３０との間を着脱可能な状態で、空気の流通及び電気的な導電性を保って接続する機能を有する。
【０１４９】
図１１に示す例においては、コネクタ１５及びコネクタ５１として、中空チューブ６１及び電気ケーブル６２の各々に対応するコネクタが一体化したコネクタとして示しているが、中空チューブ６１と電気ケーブル６２のコネクタが個別に分離して設けてもよい。
【０１５０】
図１１に示す本実施の形態の血圧測定装置１の動作において、コネクタ１５及びコネクタ５１以外の動作は図１０により説明した血圧測定装置１と同様であり、コネクタ１５及びコネクタ５１は、図１０により説明した血圧測定装置１の血圧測定の過程において、血圧測定装置１を被検体５に装着する時、あるいは血圧測定中の緊急時に血圧測定装置１を取り外す時などに、容易に血圧測定装置１の被検体５への装着、又は取り外すことを容易にする。
【０１５１】
上記のように、本実施の形態の血圧測定装置１は、コネクタ１５及びコネクタ５１により、被検体５への装着及び取り外しが容易になるので、容易に血圧を測定することができる。
【０１５２】
従って、本発明の血圧測定装置は被検体への装着及び取り外しが容易であり、容易に血圧を測定できる血圧測定装置を提供できる。
【０１５３】
本実施の形態の血圧測定装置は、前記中空チューブ及び電気ケーブルをまとめて衣服に留めるクリップをさらに備える構成としてもよい。
【０１５４】
図１２に本実施の形態の血圧測定装置の構成を示す。図１２において、本実施の形態の血圧測定装置１は図１１により説明した血圧測定装置１の中空チューブ６１及び電気ケーブル６２に、クリップ６３を追加した構成であり、クリップ６３以外の構成は図１１により説明した血圧測定装置１と同様である。
【０１５５】
本実施の形態の血圧測定装置１のクリップ６３は中空チューブ６１及び電気ケーブル６２をまとめて被検体５に衣服に留める機能を有する。
【０１５６】
図１２に示す本実施の形態の血圧測定装置１の動作において、クリップ６３以外の動作は図１１により説明した血圧測定装置１と同様であり、クリップ６３は、図１１により説明した血圧測定装置１の血圧測定の過程において、中空チューブ６１及び電気ケーブル６２をまとめて被検体５の衣服に留めることを可能にする。
【０１５７】
上記のように、本実施の形態の血圧測定装置１は、クリップ６３により中空チューブ６１及び電気ケーブル６２をまとめて被検体５の衣服に留めることが可能になるので、血圧測定の過程において、中空チューブ６１及び電気ケーブル６２の振動による雑音の発生量を減少させ、かつ被検体５の動作を妨害することなく、安定に血圧を測定する。特に、血圧測定部１０を耳介に装着する場合、被検体５の動きによる雑音の発生は血圧測定の妨害になるので、上記の中空チューブ６１及び電気ケーブル６２の過剰な振動を防止する機能は血圧測定において非常に重要である。
【０１５８】
以上説明したように、本発明の血圧測定装置は、雑音の発生量が少なく、かつ被検体の動作を妨害することなく、安定に血圧を測定することができる。
【０１５９】
本実施の形態の血圧測定装置は、前記中空チューブ及び電気ケーブルをまとめて衣服に留める粘着部をさらに備える構成としてもよい。
【０１６０】
図１３に本実施の形態の血圧測定装置の構成を示す。図１３において、本実施の形態の血圧測定装置１は図１１により説明した血圧測定装置１の中空チューブ６１及び電気ケーブル６２に、粘着部６４を追加した構成であり、粘着部６４以外の構成は図１２により説明した血圧測定装置１と同様である。
【０１６１】
本実施の形態の血圧測定装置１の粘着部６４は中空チューブ６１及び電気ケーブル６２をまとめて被検体５の衣服に留める機能を有する。
【０１６２】
図１３に示す本実施の形態の血圧測定装置１の動作において、粘着部６４以外の動作は図１１により説明した血圧測定装置１と同様であり、粘着部６４は、図１１により説明した血圧測定装置１の血圧測定の過程において、中空チューブ６１及び電気ケーブル６２をまとめて被検体５の衣服に留めることを可能にする。
【０１６３】
上記のように、本実施の形態の血圧測定装置１は、粘着部６４により中空チューブ６１及び電気ケーブル６２をまとめて被検体５の衣服に留めることを可能になるので、血圧測定の過程において、中空チューブ６１及び電気ケーブル６２の振動による雑音の発生量を減少させ、かつ被検体５の動作を妨害することなく、安定に血圧を測定することができる。特に、血圧測定部１０を耳介に装着する場合、被検体５の動きによる雑音の発生は血圧測定の妨害になるので、上記の中空チューブ６１及び電気ケーブル６２の過剰な振動を防止する機能は血圧測定において非常に重要である。
【０１６４】
従って、本発明の血圧測定装置は、雑音の発生量が少なく、かつ被検体の動作を妨害することなく、安定に血圧を測定できる血圧測定装置を提供できる。
【０１６５】
本実施の形態の血圧測定装置は、前記電気ケーブルの外皮及び前記中空チューブが振動吸収材で形成されている構成としてもよい。
【０１６６】
本実施の形態の血圧測定装置は、図１から図１３により説明した血圧測定装置１と同様の構成であり、図１から図１３に示す血圧測定装置１において、電気ケーブル６２の外皮及び中空チューブ６１が振動吸収材で形成されている場合であるので、代表して図１３に示す血圧測定装置１を、本実施の形態の血圧測定装置として説明する。
【０１６７】
本実施の形態の血圧測定装置１の電気ケーブル６２の外皮及び中空チューブ６１は、電気信号を伝達する電線の防護及び空気を流通させる機能に加えて、電気ケーブル６２及び中空チューブ６１の振動の発生量を減少させ、さらに発生した振動の伝搬量を減少させる機能を有する。
【０１６８】
本実施の形態の血圧測定装置１の動作において、電気ケーブル６２の外皮及び中空チューブ６１以外の動作は図１３により説明した血圧測定装置１と同様であり、電気ケーブル６２の外皮及び中空チューブ６１は、図１３により説明した血圧測定装置１の血圧測定の過程において、電気ケーブル６２及び中空チューブ６１の振動の発生量を減少させ、さらに振動が血圧測定部１０及び血圧演算処理部３０へ伝達される量を減少させて、電気ケーブル６２及び中空チューブ６１の振動の振動による雑音の発生量と伝達量を減少させる。
【０１６９】
上記のように、本実施の形態の血圧測定装置１は、電気ケーブル６２の外皮及び中空チューブ６１を振動吸収材で形成することにより、電気ケーブル６２及び中空チューブ６１の振動による雑音の発生量と伝達量を減少させ、正確に血圧を測定することができる。特に、血圧測定部１０を耳介に装着する場合、被検体５の動きによる雑音の発生は血圧測定の妨害になるので、上記の中空チューブ６１及び電気ケーブル６２の過剰な振動を防止する機能は血圧測定において非常に重要である。
【０１７０】
従って、本発明の血圧測定装置は、雑音の発生が少なく、正確に血圧を測定できる血圧測定装置を提供できる。
【０１７１】
本実施の形態の血圧測定装置は、前記電気ケーブルの接続部及び前記中空チューブの接続部が振動吸収材で形成されている構成としてもよい。
【０１７２】
本実施の形態の血圧測定装置の構成例は図１から図１３により説明した血圧測定装置１と同様の構成であり、図１から図１３に示す血圧測定装置１において、電気ケーブル６２及び中空チューブ６１と、血圧測定部１０及び血圧演算処理部３０と、の前記接続部が振動吸収材で形成されている場合であるので、代表例として、図１３に示す血圧測定装置１を、本実施の形態の血圧測定装置として説明する。
【０１７３】
本実施の形態の血圧測定装置１の電気ケーブル６２及び中空チューブ６１と、コネクタ１５及びコネクタ５１と、の前記接続部は振動吸収材で形成されており、前記接続部は電気ケーブル６２及び中空チューブ６１の振動の発生量を減少させ、さらに発生した振動の伝搬量を減少させる機能を有する。
【０１７４】
本実施の形態の血圧測定装置１の動作において、電気ケーブル６２及び中空チューブ６１と、コネクタ１５及びコネクタ５１と、の前記接続部以外の部分の動作は、図１３により説明した血圧測定装置１の動作と同様であり、本実施の形態の血圧測定装置１の電気ケーブル６２及び中空チューブ６１と、コネクタ１５及びコネクタ５１と、の前記接続部は、図１３により説明した血圧測定装置１の血圧測定の過程において、電気ケーブル６２及び中空チューブ６１の振動の発生量を減少させ、さらに振動が血圧測定部１０及び血圧演算処理部３０へ伝達される量を減少させて、電気ケーブル６２及び中空チューブ６１の振動の振動による雑音の発生量と伝達量を減少させる。
【０１７５】
上記のように、本実施の形態の血圧測定装置１は、電気ケーブル６２及び中空チューブ６１と、コネクタ１５及びコネクタ５１と、の前記接続部を振動吸収材で形成することにより、電気ケーブル６２及び中空チューブ６１の振動による雑音の発生量と伝達量を減少させ、正確に血圧を測定することができる。特に、血圧測定部１０を耳介に装着する場合、被検体５の動きによる雑音の発生は血圧測定の妨害になるので、上記の中空チューブ６１及び電気ケーブル６２の過剰な振動を防止する機能は血圧測定において非常に重要である。
【０１７６】
従って、本発明の血圧測定装置は、雑音の発生が少なく、正確に血圧を測定できる血圧測定装置を提供できる。
【産業上の利用可能性】
【０１７７】
本発明の血圧測定装置は血圧を継続的に長時間安定して測定することができるので、体調や体の活動状態を知るための手段としての用途にも適用することができる。
【図面の簡単な説明】
【０１７８】
【図１】本発明の実施の形態の血圧測定装置の構成を示す図である。
【図２】本発明の実施の形態の脈波センサの構成を示す図である。
【図３】本発明の実施の形態の脈波センサの構成を示す図である。
【図４】本発明の実施の形態の脈波センサの構成を示す図である。
【図５】本発明の実施の形態の脈波センサの構成を示す図である。
【図６】本発明の実施の形態の血圧測定部の被検体への装着状態を示す図である。
【図７】本発明の実施の形態の血圧測定装置の構成を示す図である。
【図８】本発明の実施の形態の血圧測定装置の構成を示す図である。
【図９】本発明の実施の形態の血圧測定装置の構成を示す図である。
【図１０】本発明の実施の形態の血圧測定装置の構成を示す図である。
【図１１】本発明の実施の形態の血圧測定装置の構成を示す図である。
【図１２】本発明の実施の形態の血圧測定装置の構成を示す図である。
【図１３】本発明の実施の形態の血圧測定装置の構成を示す図である。
【符号の説明】
【０１７９】
１  血圧測定装置
５  被検体
６  動脈
７  耳珠
８  耳輪
９  耳甲介
１０  血圧測定部
１１  脈波センサ
１２  カフ
１３  保持機構
１５  コネクタ
１８  発光素子
１９  照射光
２０  受光素子
２１  散乱光
２２  超音波発生素子
２３  照射超音波
２４  超音波受信素子
２５  散乱超音波
２６  振動センサ
２８  マイクロフォン
３０  血圧演算処理部
３１  加圧ポンプ
３２  減圧弁
３３  圧力センサ
３４  空気パイプ
３５  信号線
３６  電力線
４０  筐体
４１  電子回路
４２  表示回路
４３  電池
４４  スピーカ
４５  音楽記録再生機
４６  音量制御器
４７  タイマ
５１  コネクタ
６１  中空チューブ
６２  電気ケーブル
６３  クリップ
６４  粘着部
【図１】
2006102181.tif 000003
【図２】
2006102181.tif 000004
【図３】
2006102181.tif 000005
【図４】
2006102181.tif 000006
【図５】
2006102181.tif 000007
【図６】
2006102181.tif 000008
【図７】
2006102181.tif 000009
【図８】
2006102181.tif 000010
【図９】
2006102181.tif 000011
【図１０】
2006102181.tif 000012
【図１１】
2006102181.tif 000013
【図１２】
2006102181.tif 000014
【図１３】
2006102181.tif 000015